(57)【要約】    【課題】  円環状の外装部品にスイッチノブや切換レバーと係合する係合部を適切に設けることにより、撮影機能の切り換えを簡易な構成で容易に行うことのできるレンズ鏡筒を得ること。    【解決手段】  光軸中心周りに円環状の外装部品と、該外装部品の外周上に配置され、光軸方向にスライド操作することにより撮影機能の切換を行うスイッチノブと、外装部品の内部に光軸方向にスライド移動することにより撮影機能を切り換える切換レバーを有するフォーカスユニットを設けた後部環と、該スイッチノブには該外装部品の内周で該切換レバーと光軸方向の動作に対し係合するための係合部を有する係合部材が一体的に取り付けられ、該係合部材の係合部は光軸周りの回転方向に該後部環と該外装部品とを取り付けるときの該切換えレバーを導入するための開口部を有すること。【選択図】    図８
2011033686.tif 000002
【特許請求の範囲】
【請求項１】
光軸中心周りに円環状の外装部品と、該外装部品の外周上に配置され、光軸方向にスライド操作することにより撮影機能の切換を行うスイッチノブと、外装部品の内部に光軸方向にスライド移動することにより撮影機能を切り換える切換レバーを有するフォーカスユニットを設けた後部環と、該スイッチノブには該外装部品の内周で該切換レバーと光軸方向の動作に対し係合するための係合部を有する係合部材が一体的に取り付けられ、該係合部材の係合部は光軸周りの回転方向に該後部環と該外装部品とを取り付けるときの該切換えレバーを導入するための開口部を有することを特徴とするレンズ鏡筒。
【請求項２】
前記スイッチノブに一体的に取り付けられた該係合部材と、撮影機能の切換のための該切換レバーとの係合は、該スイッチノブが取り付けられた該外装部品を光軸回りに回転させることにより、該係合部材の回転方向に設けられた開口部から該切換レバーを挿入し、係合されていることを特徴とする請求項１のレンズ鏡筒。
【請求項３】
前記フォーカスユニットはオートフォーカスを動作させる為のモーターを搭載し、前記切換レバーを光軸方向にスライド移動させることにより該モーターとの連結を切り離す構成より成るクラッチ機構を有していることを特徴とする請求項１又は２のレンズ鏡筒。
【請求項４】
前記外装部品の外周上に配置されたスイッチノブは光軸方向に移動して、オートフォーカスとマニュアルフォーカスの切り換えを行うものであることを特徴とする請求項１、２又は３のレンズ鏡筒。
【請求項５】
前記外装部品は前記後部環に組み付けるときに該後部環と当接する当接面を有し、該後部環と当接した光軸方向の位置で、前記スイッチノブに一体的に取り付けられた該係合部材の開口部と、撮影機能の切換のための前記切換レバーの光軸方向の位置が一致することを特徴とする請求項１乃至４のいずれか１項のレンズ鏡筒。
【請求項６】
前記外装部品は、前記後部環に組み付けるときに、光軸方向で該後部環に当接した位置から光軸周りに回転させたときに、回転方向に該後部環と当接する当接部を有し、該外装部品が回転方向に該後部環と当接するまでの間は、前記スイッチノブに一体的に取り付けられた該係合部材の開口部と、撮影機能の切換のための該切換レバーが光軸方向に係合していることを特徴とする請求項１乃至５のいずれか１項のレンズ鏡筒。
【請求項７】
請求項１乃至６のいずれか１項のレンズ鏡筒を有していることを特徴とする光学機器。
【発明の詳細な説明】
【技術分野】
【０００１】
本発明は、光軸方向にスライド移動することにより撮影機能を切り換えるためのスライドスイッチを外装部品上に配置したビデオカメラ、デジタルカメラ等の光学機器に好適なレンズ鏡筒に関するものである。
【背景技術】
【０００２】
デジタルカメラやビデオカメラ等の光学機器に用いられるレンズ鏡筒では、レンズ鏡筒を構成する外装部品上に配置されたスイッチノブを光軸方向にスライド移動させることにより、撮影機能の切り換えを行っている。例えばオートフォーカスとマニュアルフォーカス等の撮影機能の切り換えを行ったレンズ鏡筒が知られている（特許文献１）。特許文献１ではオートフォーカスとマニュアルフォーカスの撮影機能の切り換えのためには、外装部品の内部に配置されたフォーカスユニット上のクラッチを光軸方向移動させる構成の切換え装置を開示している。特許文献１では、これによりモーターユニット内部のモーターを切り離すようにしている。このときモーターがギヤ等で連結されたままマニュアルフォーカスでフォーカスリングを動作させようとすると、ギヤの減速比の関係からマニュアルフォーカスの際の動作が極端に重くなってしまい、極端な場合にはギヤを破壊してしまうこともある。
【０００３】
クラッチの切り換えは、モーターユニット内部に構成されたクラッチギヤをモーター側から配列されているギヤとの連結を切り離すために、クラッチギヤと係合しているクラッチレバーを光軸方向に移動させることにより行う。更にはクラッチレバーは外装部品上に配置されているスイッチノブとレンズ鏡筒内部で係合されている。そしてスイッチノブを光軸方向にスライド移動することにより切換レバーを同様に光軸方向にスライド移動させ、モーター側からのギヤ配列と切り離すようにしている。特許文献１では、これによってスイッチノブとクラッチレバーの係合について課題解決を図っている。またスイッチノブが直接配置されている外装部品はスイッチカバーである。スイッチノブをスイッチカバーに取り付けた後に、クラッチレバーとスイッチノブを係合させつつ外装部品である外装ケースにスイッチカバーを取り付ける手順となっている。
【先行技術文献】
【特許文献】
【０００４】
【特許文献１】特開平８−２４８２９９号公報
【発明の概要】
【発明が解決しようとする課題】
【０００５】
特許文献１のレンズ鏡筒における切換え装置では、クラッチ機構を有するレンズ鏡筒に外装ケースを初めに組みつけておく。その後スイッチカバーにスイッチノブを取り付けユニット状態にしたものを、クラッチレバーとスイッチノブを係合させつつ外装ケースにスイッチカバーを取り付ける手順となっている。これは外装ケースがレンズ鏡筒の光軸方向から組み付けることに対し、スイッチノブとクラッチレバーを係合させるためにスイッチカバーは光軸放射方向から組み付ける必要があるためである。従って外装部品として、外装ケース、スイッチカバーという２つの部品を分割する必要があった。
【０００６】
本発明は、円環状の外装部品にスイッチノブや切換レバーと係合する係合部を適切に設けることにより、撮影機能の切り換えを簡易な構成で容易に行うことのできるレンズ鏡筒及びそれを有する光学機器の提供を目的とする。
【課題を解決するための手段】
【０００７】
本発明のレンズ鏡筒は、光軸中心周りに円環状の外装部品と、該外装部品の外周上に配置され、光軸方向にスライド操作することにより撮影機能の切換を行うスイッチノブと、外装部品の内部に光軸方向にスライド移動することにより撮影機能を切り換える切換レバーを有するフォーカスユニットを設けた後部環と、該スイッチノブには該外装部品の内周で該切換レバーと光軸方向の動作に対し係合するための係合部を有する係合部材が一体的に取り付けられ、該係合部材の係合部は光軸周りの回転方向に該後部環と該外装部品とを取り付けるときの該切換えレバーを導入するための開口部を有することを特徴としている。
【発明の効果】
【０００８】
本発明によれば、円環状の外装部品にスイッチノブや切換レバーと係合する係合部を適切に設けることにより、撮影機能の切り換えを簡易な構成で容易に行うことのできるレンズ鏡筒が得られる。
【図面の簡単な説明】
【０００９】
【図１】本発明の実施例のレンズ鏡筒のワイド状態での断面図
【図２】本発明の実施例のレンズ鏡筒の部分分解斜視図
【図３】本発明の実施例のレンズ鏡筒の部分構成を示した詳細断面図
【図４】本発明の実施例のレンズ鏡筒のテレ状態での断面図
【図５】本発明の実施例のレンズ鏡筒の部分詳細断面図
【図６】本発明の実施例のレンズ鏡筒の部分分解斜視図
【図７】図６の部分拡大詳細図
【図８】本発明を実施したレンズ鏡筒の部品内周の斜視図
【図９】本発明を実施したレンズ鏡筒の構成の斜視図
【図１０】本発明を実施したレンズ鏡筒の構成の斜視図
【発明を実施するための形態】
【００１０】
以下、本発明の実施例について図面を参照しながら説明する。本発明の光学機器に用いられるレンズ鏡筒は、光軸中心周りに円環状の外装部品（外装環）４と、外装部品４の外周上に配置され、光軸方向にスライド操作することにより撮影機能（ＡＦ又はＭＦ）の切換を行うスイッチノブ（フォーカススイッチ）２３を有している。そして外装部品４の内部に光軸方向にスライド移動することにより撮影機能を切り換える切換レバー（クラッチレバー）５ａを有するフォーカスユニット５を設けた後部環２を有している。スイッチノブ２３には外装部品４の内周で切換レバー５ａと光軸方向の動作に対し係合するための係合部（クラッチレバー係合部）３０ｂを有する係合部材（スイッチバネ）３０が一体的に取り付けられている。そして係合部材３０の係合部３０ｂは光軸周りの回転方向に後部環２と外装部品４とを取り付けるときの切換えレバー５ａを導入するための開口部３０ｃを有している。係合部材３０と、切換レバー５ａとの係合は、外装部品４を光軸回りに回転させる。これにより、係合部材３０の回転方向に設けられた開口部３０ｃから切換レバー５ａを挿入し、切り換えレバー５ａと係合部材３０とを係合している。
【００１１】
図１に本発明を実施したレンズ鏡筒のワイド状態の断面図、図２には部分分解斜視図を示す。図１、または図２において、１はカメラ（カメラ本体）と着脱自在に結合するためのマウント、２はマウント１が固定される後部環、３は後部環２により保持される固定筒、４は外装環（外装部品）である。後部環２にはマウント１を介して取り付けられたカメラ１と通信してオートフォーカス、絞り駆動等の制御を行うための制御基板、オートフォーカスを行うためのアクチュエータ等を搭載したフォーカスユニット５等が保持されている。更に後部環２にはフォーカスユニット５からの駆動力、あるいは手動操作により焦点調節を行うためのフォーカスリング２１、焦点距離調節を行うためのズームリング２２がそれぞれ光軸周りに回転可能に保持されている。更には外装環４には焦点調節のオートフォーカス、又はマニュアルフォーカスを切り換えるための光軸方向に移動するフォーカススイッチ（スイッチノブ）２３、手振れ補正機能を作動させるための手振れ補正スイッチ２４が配置されている。
【００１２】
６は固定筒３に保持され光軸周りに定位置回転するカム環、７は直進筒、８は直進筒７に結合保持される１群鏡筒、９はフォーカスカム環、１０は２群鏡筒、１１は絞りユニット、１２は絞りユニット１１を保持する３群鏡筒である。それぞれの移動群にはカムフォロワが取り付けられている。直進筒７と１群鏡筒８の係合については後に説明する。１３は手振れ補正のための駆動機能を有する４群鏡筒、１４は３群鏡筒１２に固定保持される５群鏡筒である。尚、フォーカスカム環９、３群鏡筒１２、４群鏡筒１３はそれぞれ固定筒３の内周部に嵌合保持されており、また２群鏡筒１０は光軸周りに回動自在、光軸方向にも移動可能なように直進筒７の内周部に径嵌合している。固定筒３には直進筒７を光軸方向にガイドする１群直進溝３ａ、３群鏡筒１２と４群鏡筒１３を同時にガイドする３―４群直進溝３ｂが設けられている。更に固定筒３にはフォーカスカム環９の光軸方向の位置を決定する補正カム３ｃを有し、また補正カム３ｃのカム面は型製作の際に型抜き方向に対しアンダーカットにならないように断面がテーパー形状をしている。
【００１３】
カム環６には直進筒７の光軸方向への進退量を有する１群カム６ａ、３群、５群鏡筒１２、１４の進退量を有する３−５群カム６ｂが設けられている。更に４群鏡筒１３の進退量を有する４群カム６ｃ、更にフォーカスカム環９を光軸周りに回転させるための作動溝６ｄがそれぞれ周方向に３箇所等分に配置されている。更にズームリング２２に固定された不図示であるズームキーが係合するためのズームキー係合部、固定筒３のカム環係合部により定位置回転自在に保持されるための摺動溝６ｅがそれぞれ設けられている。フォーカスカム環９には内周部に型成形により形成されているフォーカスカム９ａが設けられ、２群鏡筒１０に一体的に設けられたカムフォロワ１０ａがフォーカスカム９ａを挟むように係合している。また２群鏡筒１０はフォーカスリング２１に一体的に設けられたキー部と係合し光軸周りの回転位置を保持されるキー受け部１０ｂを有している。
【００１４】
図３は固定筒３に対しフォーカスカム環９が保持されている補正カム３ｃ箇所の部分詳細断面図である。９がフォーカスカム環、３が固定筒、６がカム環である。固定筒３には断面がテーパー形状に形成された補正カム３ｃが設けられ、カム環６には作動溝６ｄが設けられている。１５は補正カム３ｃ、及び作動溝６ｄに接するテーパーコロである。１６はテーパーコロ１５を保持する軸ビス、１７はテーパーコロ１５を補正カム３ｃのテーパー面に付勢するためのスプリングである。次に直進筒７と１群鏡筒８の係合について説明する。図５は直進筒７と１群鏡筒８の係合箇所の部分断面図、図６は分解斜視図、図７は図６の分解斜視図の部分拡大詳細図である。図５、図６、図７において直進筒７の内周部にはヘリコイドリード７ｂが光軸を中心に３箇所均等に配置され、更に直進筒７の先端部内周側にはフィルター等のアクセサリを取り付けるための光軸を中心としたフィルターネジ７ｃが設けられている。尚、直進筒７は樹脂成形により製作されており、ヘリコイドリード７ｂとフィルターネジ７ｃは一般的に言われる内径スライドの型構成により一体的に形成（樹脂成形）することができる。
【００１５】
一方、１群鏡筒８の外周側には直進筒７のヘリコイドリード７ｂに係合するヘリコイド係合部８ａが、直進筒７のヘリコイドリード７ｂと対応するように、やはり光軸を中心に周方向に３箇所均等に配置されている。直進筒７のヘリコイドリード７ｂと１群鏡筒８のヘリコイド係合部８ａが係合し、更に１群鏡筒８を回転させることにより、ヘリコイドリード７ｂのリフトに沿って１群鏡筒８が光軸方向に移動するようになっている。固定ワッシャ２５は、１群鏡筒８のワッシャ座８ｂに配置され、１群鏡筒８を回転させ光軸方向の位置を決定した後、固定ビス２６を固定ワッシャ２５に通して１群鏡筒８のビス孔８ｃに締付けることにより、１群鏡筒８の位置を固定する。また固定ワッシャ２５は１箇所のヘリコイド係合部８ａに対し両側に係合個所を分割する形で配置されており、固定ワッシャ２５の立曲げ部２５ａ先端が直進筒７のヘリコイドリード７ｂのリフト面を抑えることにより、強固に固定保持している。更に１群鏡筒８の光軸方向の位置調整が完了し、固定ワッシャ２５、固定ビス２６により１群鏡筒８の位置を直進筒７に固定保持した後は、外装リング２７を接着により貼り付けることにより、調整構造を露出させないようにし、外観を整えるようにしている。
【００１６】
次に図８、図９、図１０に従って外装環（外装部品）４の詳細構成と外装環４と後部環２との組立方法について説明する。図８は外装環４を内周側から見た図である。フォーカススイッチ（スイッチノブ）２３、手振れ補正スイッチ２４の内周側にはそれぞれスイッチバネ３０、３１がビスにより一体的に取り付けられている。それぞれのスイッチバネ３０、３１はクリックバネ部３０ａ、３１ａが外装環４の内周側に形成されたクリック保持部４ｃ、４ｄに係合し、クリック保持部４ｃ、４ｄの凹位置で光軸方向の位置を維持できるようになっている。さらにスイッチバネ３１には外装環４の内周側に接着等により固定された電気スイッチ３２に係合するように電気スイッチ係合部３１ｂが設けられ、手振れ補正スイッチ２４の光軸方向の位置に連動し、電気信号を切り換えられるようになっている。３３は電気スイッチ３２と制御基板２８（図９参照）とを接続するためのフレキシブルプリント配線板である。
【００１７】
またスイッチバネ３０にはクラッチ機構としてクラッチレバー係合部（係合部）３０ｂが設けられている。クラッチレバー係合部３０ｂはフォーカスユニット５の一部を構成するモーターＭからの動力伝達を接続、切り離しを行い撮影機能を切り換えるための光軸方向にスライドするクラッチレバー（切り換えレバー）５ａと係合する。さらにクラッチレバー係合部３０ｂは光軸回りの回転方向にクラッチレバー５ａを導入するために開口する形状の開口部３０ｃを有している。また外装環４には、光軸方向に図９で示す後部環２の取付け部２ａと当接する受け部（当接面）４ａが全周に４ヵ所形成されている。さらには回転方向に後部環２と当接する当接部４ｂが設けられている。
【００１８】
このように本実施形態では、外装部品４は後部環２に組み付けるときに光軸方向に後部環２と当接する当接面（受け面）４ａを有している。そして後部環２と当接した光軸方向の位置で、スイッチノブ２３に一体的に取り付けられた係合部材３０の開口部３０ｃと、撮影機能の切換のための切換レバー５ａの光軸方向の位置が一致又は略一致している。また本実施例において、外装部品４は、後部環２に組み付けるときに、光軸方向で後部環２に当接した位置から光軸周りに回転させたときに、回転方向に後部環２と当接する当接部４ｂを有している。そして外装部品４が回転方向に後部環２と当接するまでの間は、スイッチノブ２３に一体的に取り付けられた係合部材３０の開口部３０ｃと、撮影機能の切換のための切換レバー５ａが光軸方向に係合している。
【００１９】
以上の構成により、フォーカススイッチ２３、手振れ補正スイッチ２４が組み付けられた外装環４を後部環２に組み付ける手順を、図９、１０を用い説明する。まずスイッチバネ３０のクラッチレバー係合部３０ｂがフォーカスユニット５のクラッチレバー５ａに干渉しない位置まで回転方向に移動させた外装環４を、受け部４ａと後部環２の取付け部２ａが当接するように光軸方向に移動させる。次に外装環４の当接部４ｂが後部環２の取付け部２ａに当接する位置まで回転させる。以上により、フォーカスユニット５のクラッチ機構を構成するクラッチレバー（切換レバー）５ａがスイッチバネ３０のクラッチレバー係合部３０ｂに設けた回転方向の開口部３０ｃから導入され、クラッチレバー係合部３０ｂに係合する。
【００２０】
次にレンズ鏡筒としての動作を説明する。図１、図２において焦点距離調節（ズーミング）のためにズームリング２２を回転させる。そうすると、ズームキー（不図示）により係合されているカム環６が光軸周りに定位置回転する。そして、１群直進溝３ａと１群カム６ａに挟持されたカムフォロワ２６により１群鏡筒８を保持する直進筒７が光軸方向に直進移動する。同様に３−４群直進溝３ｂと３群カム６ｂに挟持されたカムフォロワ（不図示）により３群鏡筒１２と５群鏡筒１４が移動する。また３−４群直進溝３ｂと４群カム６ｃに挟持されたカムフォロワ（不図示）により４群鏡筒１３が光軸方向に移動する。またフォーカスカム環９はカム環６の作動溝６ｄに係合しているテーパーコロ１５によりカム環６の回転とともに光軸周りに回転しつつ補正カム３ｃに沿って光軸方向にも移動する。図４は図１より焦点距離調節を動作させた場合のテレ状態のレンズ鏡筒の断面図を示している。
【００２１】
一方、２群鏡筒１０はキー受け部１０ｂがフォーカスリング２１に一体的に設けられた不図示であるキー部と係合しているために光軸周りの回転位置は維持されつつ、フォーカスカム環９のフォーカスカム９ａに沿って光軸方向へ移動する。つまり２群鏡筒１０の焦点距離調節時の位置は補正カム３ｃとフォーカスカム９ａの合成により、光軸方向の位置を決定されることになる。次に焦点調節時の動作は、フォーカススイッチ２３により選択されたフォーカスモードにより行われる。又、オートフォーカスの場合はフォーカスユニット５、マニュアルフォーカスの場合は手動操作により直接フォーカスリング２１の光軸周りの回転動作が行われる。フォーカスリング２１が回転するとキー部によって係合された２群鏡筒１０が光軸周りに回転し、２群鏡筒１０はフォーカスカム環９に設けられたフォーカスカム９ａのリフトに乗って光軸方向に回転繰出しされ、焦点調節動作が行われることになる。
【００２２】
尚、直進筒７が図１のワイド状態から図４のテレ状態に繰出されると、直進筒７の先端に取り付けられた１群鏡筒８の負荷重量により、直進筒７はカムフォロワの位置を支点として重力方向に傾くこととなる。ここで２群鏡筒１０は直進筒７の内径部に嵌合しているため直進筒７が傾いた際には、同時に同方向に２群鏡筒１０も傾くこととなり、光学性能として変化が相殺される。また２群鏡筒１０が直進筒７に従って傾くとき、２群鏡筒１０の光軸方向の進退量を決定するために係合しているフォーカスカム環９は、固定筒３の補正カム３ｃにスプリング１７により付勢するよう構成している。スプリング１７の付勢力に抗することによりフォーカスカム環９も傾くことが可能である。またフォーカスカム環９の固定筒３に対する嵌合部は光軸方向に極短い嵌合長としているため、フォーカスカム環９が固定筒３に対し傾くことを容易にしている。尚、本実施例では３−５群が一体鏡筒１２、１４の間に４群鏡筒を挟んだ光学構成としているが、本発明の効果を得るためには、この光学構成に限定するものではない。１群鏡筒８が焦点距離調節により大きく繰出される光学構成のものであればよい。また４群鏡筒１３についても本実施例では手振れ補正機能を有するとしているが、もちろんこれも必須の構成要素ではない。
【００２３】
更に本実施例では光軸方向の位置調整後の固定保持を直進筒７と１群鏡筒８の構成について説明したが、これに限定するものではない。例えば調整構造と光軸を中心とした内周ネジが一つの部品に近接して配置される構成であるならば簡易な構成で実現できるという効果を発揮する。また内周ネジはフィルター取付けネジに限定されるものはなく、別部品との係合ネジでも同様の効果を発揮する。また本実施例では１群鏡筒８を固定保持するためにワッシャを介してビス固定しているが、配置さえ破綻がなければワッシャを廃止し、ビスの頭部分のみで直接、直進筒７のヘリコイドリフト面を締結してもよい。また本実施例中の、外装環４の後部環２の取付け部２ａに対する当接部４ｂは、１か所でも、あるいはすべての取付け部に対応するよう全個所に設けてもよい。
【００２４】
以上のように本実施形態によれば、外装環４に直接、スイッチノブ２３が構成できるようになるため部品点数を削減することが可能となり、また組み付ける際にも容易な、レンズ鏡筒を実現することができる。特に、外装環４の内部に光軸方向にスライド移動することにより撮影機能を切り換えるクラッチレバー５ａを設けている。そしてスイッチノブ２３には該外装環４の内周でクラッチレバー５ａと光軸方向の動作に対し係合するためのクラッチレバー係合部３０ｂを有するスイッチバネ３０を一体的に取り付けている。そして、スイッチバネ３０のクラッチレバー係合部３０ｂは光軸周りの回転方向にクラッチレバー５ａを導入するための開口部３０ｃを有するようにしている。これにより、スイッチノブ２３を外装環４上に直接組み付け、外装環４を光軸周りに回転させて、撮影機能の切換えのためのクラッチレバー５ａと係合させることを可能としている。
【００２５】
またスイッチノブ２３に一体的に取り付けられたスイッチバネ３０と、撮影機能の切換のためのクラッチレバー５ａを係合する際には、スイッチノブ２３が取り付けられた該外装環を光軸回りに回転させている。そしてスイッチノブ３０の回転方向に設けられた開口部３０ｃからクラッチレバー５ａを挿入し係合させている。これにより、外装環４上に直接スイッチノブ２３を取り付けてもクラッチレバー５ａとスイッチノブ２３が係合できるようにしている。また本実施形態ではオートフォーカスを動作させる為のモーターＭを内部に搭載し、クラッチレバー５ａを光軸方向にスライド移動させることによりモーターＭとの連結を切り離すことが可能なクラッチ機構を設けている。これにより、オートフォーカスＡＦ、マニュアルフォーカスＭＦの切り換えを内部のクラッチ機構により行うときにも外装環４上に直接スイッチノブ２３を構成することができるようにしている。また外装環４上に配置されたスイッチノブ２３を光軸方向に移動させることにより、オートフォーカスとマニュアルフォーカスの切り換えを行っている。これにより、オートフォーカスとマニュアルフォーカスの切り換えを内部のクラッチ機構により行うときにも外装環４上に直接スイッチノブ２３を構成することができる。
【００２６】
また外装環４に対し光軸方向に当接面４ａを有するようにしている。そして後部環２と当接した光軸方向の位置で、スイッチノブ２３に一体的に取り付けられたスイッチバネ３０の開口部３０ｃと、撮影機能の切換のためのクラッチレバー５ａの光軸方向の位置が一致又はほぼ一致するようにしている。これにより、スイッチノブ２３に一体的に取り付けられたスイッチバネ３０とクラッチレバー５ａが容易に組み付けることができる。さらに外装環４は、後部環２に組み付けるときに後部環２の光軸方向に当接した位置から光軸周りに回転させたときに回転方向に後部環２と当接する当接部４ｂを有するようにしている。そして外装環２が回転方向に当接するまでの間は、スイッチノブ２３に一体的に取り付けられたスイッチバネ３０の開口部３０ｃと、撮影機能の切換のためのクラッチレバー５ａが光軸方向に係合するようにしている。これにより、スイッチノブ２３に一体的に取り付けられたスイッチバネ３０と、クラッチレバー５ａが容易に組み付けるようにしている。
【符号の説明】
【００２７】
２・・・後部環、３・・・固定筒、４・・・外装環、４ａ…受け部、４ｂ…当接部、５・・・フォーカスユニット、５ａ…クラッチレバー、６・・・カム環、２３、２４・・・スイッチノブ、２７・・・外装リング、３０…スイッチバネ、３０ａ…クリックバネ部、３０ｂ…クラッチレバー係合部、３１…スイッチバネ
【図１】
2011033686.tif 000003
【図２】
2011033686.tif 000004
【図３】
2011033686.tif 000005
【図４】
2011033686.tif 000006
【図５】
2011033686.tif 000007
【図６】
2011033686.tif 000008
【図７】
2011033686.tif 000009
【図８】
2011033686.tif 000010
【図９】
2011033686.tif 000011
【図１０】
2011033686.tif 000012